(57)【特許請求の範囲】
【請求項１】
データの記憶手段と通信手段からなる無線データキャリアを複数の物品それぞれに設け、前記物品をキャリアケースに収納して運搬し、前記無線データキャリアに記憶した情報により前記物品の受け渡しを管理する物品配達システムにおいて、
前記キャリアケースには、前記物品を一つずつ収納するための仕切り部材で分割した複数の部屋を設け、前記各部屋それぞれの仕切り部材に第１のアンテナを設けて、前記無線データキャリアと情報通信する質問器の第２のアンテナを前記キャリアケースの外側に配置し、前記キャリアケース、又は前記質問器の第２のアンテナを前記仕切り部材と直交する方向に移動して前記第１のアンテナを電磁波の中継手段として前記キャリアケース内の複数の前記無線データキャリアと情報通信ができるようにしたことを特徴とする物品配達システム。
【請求項２】
請求項１記載の物品配達システムにおいて、
前記第１のアンテナの一部を延在させて折り曲げ、この折り曲げられた第１のアンテナを前記キャリアケースの底板部に設けてなり、この底板部のアンテナを第３のアンテナとして前記質問器の第２のアンテナとで前記無線データキャリアの情報通信を行うことを特徴とする物品配達システム。
【請求項３】
請求項１記載の物品配達システムにおいて、
前記第１のアンテナとは異なる前記第３のアンテナを前記キャリアケースの底板部に設け、この第３のアンテナと前記質問器の第２のアンテナで前記無線データキャリアからの情報通信を行うことを特徴とする物品配達システム。
【発明の詳細な説明】
【０００１】
【発明の属する技術分野】
本発明は、無線データキャリア（ＲＦＩＤ）を郵便物等の物品に設け、ＲＦＩＤに記憶した情報により物品の受け渡しを管理する物品配達システムと、名刺にインターネットのホームページをアクセスできる情報を記憶したＲＦＩＤを漉き込み相手の情報を入手する情報検索システムおよびこれらＲＦＩＤからデータを正確に読取り書込むためのデータ読取り書込み装置に関する。
【０００２】
【従来の技術】
このようなＲＦＩＤシステムが特開平１１−１７５６２１号公報に開示されている。これは書留郵便や小包郵便等に管理コードを記憶したＲＦＩＤを添付し、利用者側での差出準備事務作業から郵便局での窓口業務、配送業務、配達業務、追跡調査、その他の事務処理をＲＦＩＤとのデータ通信を行なうことにより実現したものである。
【０００３】
また、特開平１１−２３２１９６号公報に情報交換システムが開示されている。これはＩＣカードに名刺等の個人情報や企業情報を情報ネットワーク上のＷＷＷを経由してアクセスするためのＵＲＬ等のポインタ情報を書込み、名刺交換時はお互いのＩＣカードのデータを読み出しＩＣカードに書込むためのデータ書込み装置によりこれらの情報の交換を行い、このＩＣカードに記憶されたポインタ情報から情報ネットワークを介して相手の情報を入手するようにしたものである。
【０００４】
【発明が解決しようとする課題】
しかしながら、従来技術のシステムで用いるＲＦＩＤおよびＩＣカードはコストが高く実用化が困難であった。また、ＲＦＩＤが重なった場合はデータの読み出し書込みができない問題があった。
【０００５】
本発明は上記問題点に鑑みなされたもので、ＲＦＩＤを郵便物等の物品に設け、ＲＦＩＤに記憶した情報により物品の受け渡しを管理する物品配達システムと、名刺にインターネットのホームページをアクセスできる情報を記憶したＲＦＩＤを漉き込み相手の情報を入手する情報検索システムおよびこれらの紙葉類やカードに埋め込んだあるいは貼り付けたＲＦＩＤからデータを正確に読取り書込むためのデータ読取り書込み装置を提供する。
【０００６】
【課題を解決するための手段】
本発明は、データの記憶手段と通信手段からなる無線データキャリアを複数の物品それぞれに設け、前記物品をキャリアケースに収納して運搬し、前記無線データキャリアに記憶した情報により前記物品の受け渡しを管理する物品配達システムにおいて、前記キャリアケースには、前記物品を一つずつ収納するための仕切り部材で分割した複数の部屋を設け、前記各部屋それぞれの仕切り部材に第１のアンテナを設けて、前記無線データキャリアと情報通信する質問器の第２のアンテナを前記キャリアケースの外側に配置し、前記キャリアケース、又は前記質問器の第２のアンテナを前記仕切り部材と直交する方向に移動して前記第１のアンテナを電磁波の中継手段として前記キャリアケース内の複数の前記無線データキャリアと情報通信ができるようにしたものである。
【０００７】
また本発明は、前記第１のアンテナの一部を延在させて折り曲げ、この折り曲げられた第１のアンテナを前記キャリアケースの底板部に設けてなり、この底板部のアンテナを第３のアンテナとして前記質問器の第２のアンテナとで前記無線データキャリアの情報通信を行うようにしたものである。
【０００８】
また本発明は、前記第１のアンテナとは異なる前記第３のアンテナを前記キャリアケースの底板部に設け、この第３のアンテナと前記質問器の第２のアンテナで前記無線データキャリアからの情報通信を行うようにしたものである。
【００２０】
【発明の実施の形態】
図１は本発明の無線データキャリアを用いた書留郵便物、宅配物等の配達管理システムの一実施例を示す。以下、書留郵便物の場合について、図１から図９を用いて同システムを説明する。
【００２１】
図１は、引受局から中継局を介して配達局に書留郵便物等を入れたキャリアケース１を搬送するシステム構成としている。このキャリアケース１は、上蓋２と、キャリアケース１の容器３と、容器３の内部に間隔を空けて配置された仕切り板４と、仕切り板４に埋め込込まれた又は表面に設けられたアンテナ５と、仕切り板４に設けられた電波シールド材２３とからなる。書留郵便物６が仕切り板４で区分された部屋に一通づつ収納される。書留郵便物６には、無線データキャリア（ＲＦＩＤ：Radio Frequency Identificationと呼ばれる無線ＩＤチップ）７が埋め込むか、又は貼り付けられている。各局には、無線データキャリア７のデータの読取りや書込みを行うための質問器１２が設けられている。質問器１２は、無線データキャリアとの間で信号を送受信するためのアンテナ８と、アンテナ８を形成するコイル１１と、コイル１０を配置した基板１０と、コイル１１を保護する充填材９とからなる。本システムでは、利用者から書留郵便物を引受ける引受局において引き受けた書留郵便物を管理する引受局サーバ１５と、書留郵便物の配送の中継をする中継局において配送されてきた書留郵便物を管理する中継局サーバ１３と、書留郵便物を各家庭に配達する配達局において配達される書留郵便物を管理する配達局サーバ１６とが設けられている。各サーバ間は、情報ネットワーク１４によってデータを通信することができるように構成されている。
【００２２】
図１において、差出人が引受局に書留郵便物を持ち込むと、引受局は図５に示す引受番号２９と引受番号を記憶したバーコード３０と無線データキャリア７のある伝票を書留郵便物に添付し、引受番号を記載した受取伝票を差出人に発行する。無線データキャリア７のＩＤ番号は予め記憶しておくか、引受時に記憶することができる。引受局は引受番号と、無線データキャリア７に記憶されているＩＤ番号と、引受日付と、差出人および受取人の情報等を引受局サーバ１５に記憶する。また、引受局サーバ１５は情報ネットワーク１４により、中継局サーバ１３と配達局サーバ１６に同様の情報を記憶する。そして、引受局は書留郵便物を配達局毎に仕分し、キャリアケース１の仕切り板４の間に一つづつ収納して中継局に配送する。
【００２３】
中継局は、配送されてきた書留郵便物の入ったキャリアケース１の外側にＲＦＩＤ質問器１２のアンテナ８を非接触であるいは接触させて、全ての書留郵便物に添付されている無線データキャリア７のＩＤ番号を読取る。読取られたデータは、中継局サーバ１３に送られる。中継局サーバ１３は、情報ネットワークから送られてきて記憶されている書留郵便物の引受番号の情報と照合して該当する情報に通過日時等を書き込み記憶する。また、中継局サーバ１３は、情報ネットワーク１４により、引受局サーバ１５と配達局サーバ１６に同様の情報を送信し、それぞれのサーバはその情報を記憶する。さらに、質問器を介して無線データキャリア７に追加情報を記録する。そして、これらの書留郵便物の入ったキャリアケース１は配達局毎に仕分けられ配達局に配送される。
【００２４】
配達局は、配送されてきた書留郵便物の入ったキャリアケース１にＲＦＩＤ質問器１２のアンテナ８を非接触であるいは接触させて、全ての書留郵便物に添付されている無線データキャリア７のＩＤ番号等を読取り、配達局サーバ１６に記憶されている該当する書留郵便物の引受番号の情報に到着日時等を記憶する。また、配達局サーバ１６は各書留郵便物の配達人、配達完了情報等を管理する。そして、配達局サーバ１６は情報ネットワーク１４により、引受局サーバ１５と中継局サーバ１３に同様の情報を送信し、各局サーバはその情報を記憶する。これらの書留郵便物は受取人に届けられる。また、差出人、受取人は配達情報を情報ネットワーク１４に接続された端末よりサーバに問合わせることができ、書留郵便物の配達状況を確認できる。また、情報ネットワーク１４はインターネットが使用でき配達状況を管理できる。
【００２５】
また、キャリアケース１の無線データキャリア７とＲＦＩＤ質問器１２とのデータの読み書きは、キャリアケース１を移動しても良いし、ＲＦＩＤ質問器１２のアンテナ８を移動させても良い。
【００２６】
また、差出人が無線データキャリア７のある伝票に予めＩＤ番号または差出人住所、差出人氏名、受取人住所、受取人氏名等を書込み書留郵便物に添付することもできる。
【００２７】
なお、上記システムはバーコード単独およびバーコードとＲＦＩＤのＩＤ番号を混在させて管理することもできる。
【００２８】
図２はキャリアケース１の仕切り板４に設けられたアンテナ５の一実施例を示す。アンテナ５はコイル１９と、コイル１９を形成するベース１８と、コイル１９の両端に形成したパッド２０、２２と、パッド２０、２２を接続する導体２１とで構成される。
【００２９】
このように、コイル１９の両端を接続し電流が流れるようにすることにより、ＲＦＩＤ質問器１２のアンテナ８と仕切り板に設けたアンテナ５との相互誘導で信号の送受信が可能となる。また、アンテナ５と書留郵便物に添付された無線データキャリア７のアンテナとの相互誘導で信号の送受信が可能となる。これにより、ＲＦＩＤ質問器１２のアンテナ８と書留郵便物６に添付された無線データキャリア７との距離が離れていても、無線データキャリア７が書留郵便物の何処に添付されていても、正確に信号の送受信が可能となりデータの読取り書込みの信頼性が向上する効果がある。また、アンテナ８と無線データキャリア７のアンテナの姿勢が異なる場合でも、正確に信号の送受信が可能となりデータの読取り書込みの信頼性が向上する効果がある。
【００３０】
また、図１９にアンテナ部の他の構成を示す。本構成では、アンテナ６６で受信した信号から周波数弁別器６７でＲＦＩＤ質問器１２の周波数Ａを弁別し、その周波数Ａを周波数変換器６８で無線データキャリア７の周波数Ｂに変換し、増幅器６９で増幅して送信するようにしたものであ。なお、電源は図示していないが、受信周波数から得ても良いし、電源を搭載することもできる。電源を搭載した場合には、さらに信号が大きくなるため読取り書込みの信頼性が向上する効果がある。
【００３１】
また、アンテナ５を形成する仕切り板４のコイル１９に距離を空けて対向して金属板等の電波シールド材２３を設けることもできる。この場合は、コイル１９の電磁波を一方向に向けることが可能となり、隣接する無線データキャリア７との混信を防止する効果がある。
【００３２】
図３にＲＦＩＤ質問器１２のアンテナ８の一実施例を示す。アンテナ８は、基板１０と、基板１０に形成したコイル１１と、コイル１１の両端に形成したパッド２５ａ、２５ｂからなる。パッド２５ａ、２５ｂにはＲＦＩＤ質問器１２の信号線が接続される。
【００３３】
なお、アンテナ５、８の形状は、無線データキャリアとの応答距離および周波数によって、線状アンテナ（微小ループアンテナ、ダイポールアンテナ、折り返しダイポールアンテナ）、板状アンテナ等が使用でき、円形および多角形等さまざまな形状にすることができる。
【００３４】
図４に無線データキャリアを取り付けた伝票を書留郵便物に貼り付けた一実施例を示す。書留郵便物６は、本実施例では書留封筒としている。宛名および住所エリア２６と、切手２７と、無線データキャリアを取り付けた伝票２８からなる。
【００３５】
図５に無線データキャリアを取り付けた伝票の一実施例を示す。伝票２８には引受番号２９と、引受番号２９が記憶されているバーコード３０が印刷してあり、さらに、無線データキャリア７が埋め込まれている。伝票２８の裏面には接着層が設けられており、シールを剥がすことにより物品に貼り付けることができる。この無線データキャリアは紙葉類等へ埋め込めるように、面積が０.３ｍｍ×０.３ｍｍ以下で厚さが０.０５ｍｍ以下で、一つ一つ番号が異なるＩＤ番号を製造時に造り込んだ低コストのものが好適である。
【００３６】
図６は無線データキャリアの一実施例の概観を示す。無線データキャリア７はシリコン基板に形成された集積回路３１と、集積回路３１に絶縁され形成されたオンチップアンテナ３２で構成される。オンチップアンテナ３２の両端は集積回路３１のアンテナ端子３３ａ、３３ｂに接続される。外形寸法は２ｍｍ×２ｍｍ以下で、厚さは０.５ｍｍ以下である。なお、０.３ｍｍ×０.３ｍｍ以下で厚さが０.０５ｍｍ以下のものがコスト的に好適である。
【００３７】
オンチップアンテナ３２とＲＦＩＤ質問器のアンテナとの電磁結合により電力と信号を受信し、集積回路３１のメモリに記憶されているデータをオンチップアンテナ３２より出力する。また、同様にデータをメモリに書込むことができる。なお、電波法の範囲で使用する場合には応答距離が短いため、無線データキャリアの近傍において、データを正確に読取り書込むためのＲＦＩＤ質問器が必要となる。
【００３８】
このように、無線データキャリアを小さく、薄くすることにより紙葉類への漉き込みが可能となり、折り曲げ等の外力に対して破壊されなくなる効果がある。
【００３９】
図７は無線データキャリアの他の一実施例を示す。シリコン基板に形成された集積回路３４と、集積回路３４のアンテナ端子３５ａ、３５ｂと、アンテナ端子３５ａ、３５ｂに接続された外部アンテナ３６で構成される。外部アンテナ３６とＲＦＩＤ質問器のアンテナとの電磁結合により電力と信号を受信し、集積回路３４のメモリに記憶されているＩＤ番号を外部アンテナ３６より出力するように動作する。外部アンテナ３６は大きく形成できるため信号の送受信の距離を長くできる。
【００４０】
図８に無線データキャリアのデータ読取り書込みに用いるＲＦＩＤ質問器の回路構成の一実施例を示す。ＲＦＩＤ質問器は、アンテナ間の電磁結合により無線データキャリアへ電力の供給と信号の送受信を行うものである。ＲＦＩＤ質問器は、制御部３７と、変調部３８と、アンテナ３９と、復調部４０とから構成される。制御部３７からデータおよび制御信号が変調部３８へ送られる。変調部３８では、キャリア周波数で変調し、その信号をアンテナ３９より電磁波として出力する。また、無線データキャリアからのキャリア周波数で変調されたデータをアンテナ３９で受信し、復調部４０で復調し、制御部３７へ出力するように動作する。なお、制御部３７には通信インターフェースがあり外部のコンピュータとのデータの送受信が可能である。
【００４１】
図９に無線データキャリアの回路構成の一実施例を示す。無線データキャリアの回路は、アンテナ４０と、同調コンデンサ４１と、復調部４２と、制御部４３と、メモリ４４と、変調部４５と、電源部４６とで構成される。アンテナ４０と同調コンデンサ４１でキャリア周波数を受信する。キャリア周波数から電源部４６でこの回路を動作させる電源を作成する。復調部４２はキャリア周波数を復調し、データおよび制御信号を制御部４３に出力する。制御部４３はメモリ４４にデータの書込みと、メモリ４４に記憶されているデータを読み出し変調部４５へ出力する。変調部４５はキャリア周波数で変調し、アンテナ４０より電磁波として出力するように動作する。
【００４２】
なお、メモリ４４は製造過程でＩＤ番号等のデータを造り込むＲＯＭタイプ、製造後にＩＤ番号等のデータを書込むＰＲＯＭタイプ、データを記録保持する非揮発性のＲＡＭおよびそれらの組み合せ等が使用できる。ＲＯＭタイプはコスト的に安価なものが得られる効果がある。
【００４３】
本発明によれば、ＲＦＩＤにより配達物品の管理が安価にできるので配送コストの低減に効果がある。また、従来のバーコードに比べて、汚れ、印刷の損傷による読取り不能、読み間違いがなくなるため、読取り精度が向上する効果がある。また、本発明は、郵便物の配達、宅配便の宅配伝票、運送業の配達伝票に適用できる。また、本発明は紙葉類の他に、カード等の樹脂に無線データキャリアを埋め込んだものも使用できる。
【００４４】
図１０に書留郵便物を入れて運搬するキャリアケースの他の実施例を示す。図１０は図１の構成に加えて、容器３の底板部にアンテナ４９を設けたものである。また、図１１にアンテナ４９の一実施例を示す。アンテナ４９は、コイル５１と、コイル５１を形成するベース５０と、コイル５１の両端に形成したパッド５２ａ、５２ｂと、パッド５２ａ、５２ｂを接続する導体５３とで構成される。
【００４５】
このように、コイル５１の両端を接続し電流が流れるようにすることにより、ＲＦＩＤ質問器１２のアンテナ８と容器３に設けたアンテナ４９との相互誘導で信号の送受信が可能となる。また、アンテナ４９と仕切り板４に設けたアンテナ５との相互誘導で信号の送受信が可能となる。さらに、アンテナ５と書留郵便物に添付された無線データキャリア７のアンテナとの相互誘導で信号の送受信が可能となる。
【００４６】
本構成とすることにより、図１の実施例に比べてアンテナ４９とＲＦＩＤ質問器１２のアンテナ８との距離を短くでき、図１の場合よりも正確に情報のやり取りを行うことができる。なお、当然のことではあるが、アンテナ４９に電源と増幅回路を設け受信した信号を増幅して送信することもできる。
【００４７】
図１２に書留郵便物を入れて運搬するキャリアケースの他の実施例を示す。図１２は図１と異なる点は、仕切り板４のアンテナ５の一部を曲げ５５て容器３の底板部まで延在させた点である。アンテナ部の詳細は図１６を用いて後述する。
【００４８】
本構成とすることで、図１０の実施例よりも更に正確に信号の送受信ができ、データの読取り書込みの信頼性が向上する効果がある。
【００４９】
図１３は書留郵便物を入れて運搬するキャリアケースの他の実施例を示す。図１３において、図１実施例と異なる点は、仕切り板４のアンテナ５のコイル１９と、ＲＦＩＤ質問器１２とをコネクタ５７を介して信号線５８、５９で接続した点である。また、ＲＦＩＤ質問器１２のアンテナ接続部には切り替えスイッチ５６を設け、ＲＦＩＤ質問器１２の指令により一つのＲＦＩＤ質問器１２で複数のアンテナ５との交信が可能なように構成してある。
【００５０】
これにより、ＲＦＩＤ質問器１２と無線データキャリア７とが近接した位置でデータの交信が可能になり、隣接した無線データキャリアとの混信を防止できデータの読取り書込みの信頼性が向上する効果がある
図１４に図１３のキャリアケースで用いるアンテナの一実施例を示す。アンテナ５は、ベース１８と、ベース１８に形成したコイル１９と、コイル１９の両端に設けたパッド６１ａ、６１ｂと、パッド６１ｃと、パッド６１ａとパッド６１ｃを接続する導体６２と、パッド６１ｂと６１ｃに接続する信号線５８と５９と、信号線５８と５９を接続するコネクタ５７とから構成される。
【００５１】
図１５に図１０のキャリアケースで用いるアンテナの他の一実施例を示す。図１５のアンテナは、図１０に示すキャリアケース１の底板部に設けたアンテナ４９の１つを示したものである。このアンテナ４９は、それぞれの仕切り板４に設けたアンテナ５の近くの位置に設けられる。図１５に示すようにアンテナはベース５０と、ベース５０に形成したコイル５１と、コイル５１の両端に設けたパッド６３ａ、６３ｂと、パッド６３ｃと、パッド６３ａとパッド６３ｃを接続する導体６４と、パッド６３ｂと６３ｃに接続する信号線５８と５９と、信号線５８と５９を接続するコネクタ５７で構成する。
【００５２】
なお、図１０のキャリアケースでは図１５に示すアンテナを単独で使用しても良いし、図１０の仕切り板４に設けたアンテナ５と一緒に使用することもできる。
【００５３】
このように構成することにより、図１０の効果と図１３の効果が得られる。
【００５４】
図１６は図１２のキャリアケースで用いるアンテナの他の一実施例を示す。図１６のアンテナは、図１２に示す仕切り板４のアンテナ５の一部を曲げて容器３の５５の位置に形成したものである。図１６に示すようにアンテナはベース１８と、ベース１８に形成したコイル１９と、コイル１９の両端に設けたパッド６１ａ、６１ｂと、パッド６１ｃと、パッド６１ａとパッド６１ｃを接続する導体６２と、パッド６１ｂと６１ｃに接続する信号線５８と５９と、信号線５８と５９を接続するコネクタ５７で構成する。そして、ベース１８とコイル１９を折り曲げ位置６０で適切な曲率で折り曲げたものである。
【００５５】
このように構成することにより、別にアンテナを設けた図１０と同じ効果を得られるとともに、図１０よりも製作が容易になる。
【００５６】
図１７にキャリアケース１に設けるアンテナおよびＲＦＩＤ質問器１２のアンテナ８の他の実施例を示す。アンテナ７１は基板７０の上に渦巻き状に形成されており、多数のアンテナを直線に配置したアンテナ７４の列とアンテナ７５の列を形成する。アンテナ７４の列とアンテナ７５の列は、列方向に位置をずらせて千鳥に配置している。この場合はアンテナ７４の列のアンテナとアンテナの中間に、次の列のアンテナ７５が位置するように配置する。なお、図１４、図１５、図１６のキャリアケース１に設けるアンテナおよびＲＦＩＤ質問器１２のアンテナ８として使用する場合は、これら多数のアンテナ７１の接続端子７３ａ、７３ｂを磁界の位相を合わすために直列および並列に接続する。
【００５７】
図１８は図１７のアンテナをキャリアケース１に設ける場合の一実施例を示す。図１８は図１７のベース７０の裏側を示す。パッド７６ａ、７６ｂは図１７のアンテナ７１の両端のパッド７３ａ、７３ｂからベース７０を貫通する導体で接続している。導体７７ａ、７７ｂ、７７ｃはアンテナ７１を直列に接続している。
【００５８】
なお、図１、図１０、図１２のキャリアケース１の仕切り板４、容器３に設けるアンテナの場合は全てのアンテナ７１の接続端子７３ａ、７３ｂを導体によって接続しても良い。
【００５９】
このように本発明によれば、多数のアンテナをマトリクス状に配置した場合、一列目のアンテナとアンテナの中間に次の列のアンテナが位置するように千鳥に配置したことにより、受信および送信時の電界強度分布が一定となるため無線データキャリアとの電磁結合の損失がなくなり正確にデータの読書きができる効果がある。
【００６０】
図３０にＲＦＩＤ質問器１２のアンテナ８の他の実施例を示す。図３０は基板７０のアンテナ７１が設けられた側の反対側を示す。アンテナ７１は基板７０の上に渦巻き状に形成されており、多数のアンテナ７１を行方向と列方向にマトリクス状に配置したものである。電極パッド７６ａ、７６ｂはベース７０を貫通する導体でアンテナ７１の両端に接続している。各アンテナのパッド７６ａは列方向の配線１５５ａ、１５５ｂ、１５５ｃ、１５５ｄ、１５５ｅ、１５５ｆ、１５５ｇ、１５５ｈにそれぞれ接続されている。同様にパッド７６ｂは行方向の配線１５４ａ、１５４ｂにそれぞれ接続されている。配線１５４ａ、１５４ｂは行スイッチ１５６に接続され、配線１５５ａ、１５５ｂ、１５５ｃ、１５５ｄ、１５５ｅ、１５５ｆ、１５５ｇ、１５５ｈは列スイッチ１５７に接続されている。行スイッチ１５６と列スイッチ１５７の他端はＲＦＩＤ質問器のアンテナ出力端子に接続されている。ＲＦＩＤ質問器１２からの切換え信号１５８、切換え信号１５９は行スイッチ１５６と列スイッチ１５７のスイッチの切換えのためのＲＦＩＤ質問器１２からの信号線である。
【００６１】
図３０の動作は、例えば、ＲＦＩＤ質問器１２からの切換え信号１５８により行スイッチ１５６のスイッチを動作させ配線１５４ａを選択し、同様に切換え信号１５９により列スイッチ１５７のスイッチを動作させ配線１５５ａを選択すると、配線１５４ａと配線１５５ａの交点のアンテナ７１が選択されて、ＲＦＩＤ質問器１２は交信を行なうことができる。このように、ＲＦＩＤ質問器１２は行スイッチ１５６と列スイッチ１５７をそれぞれ選択することによりマトリクス状に配列されたアンテナ７１で交信ができる。
【００６２】
このように本発明によれば、マトリクス状に配置された小さいアンテナで交信を行なうことができるので、狭いエリアに電波を集中させることができ応答距離を長くできる効果がある。また、一つのＲＦＩＤに対応した狭いエリアに電波を放射できるので一つのＲＦＩＤのみに交信が限定でき混信を防止できる効果がある。
【００６３】
なお、本実施例では切り換えスイッチと各アンテナはＲＦＤＩ質問器１２側に設けた構成として説明したが、ＲＦＤＩ質問器１２側にはそれぞれのスイッチと接続する接続用の端子のみを設け、無線データキャリア側に、行方向を接続したスイッチの端子と、列方向を接続したスイッチの端子を集約した端子を設けることで、読書きを行うときに各端子を接続して行うようにしてもよい。
【００６４】
なお、アンテナ７１の形状は、無線データキャリアとの応答距離および周波数によって、線状アンテナ（微小ループアンテナ、ダイポールアンテナ、折り返しダイポールアンテナ）、板状アンテナ等が使用でき円形および多角形等さまざまな形状にすることができる。
【００６５】
図２０にアンテナを動かす可動機構付きのＲＦＩＤ質問器の構成を示す。また、図２０の断面図を図２１に示す。ベース８０と、基板８５をベース８０からばね支持する４本の支持ばね８１ａ、８１ｂ、８１ｃ、８１ｄと、可動コイル８３をベース８０から平行リンクによって支持する２組みの平行リンク８２ａ、８２ｂと８２ｃ、８２ｄと、可動コイル８３に磁界を与える永久磁石８４と、多数のアンテナ８６を直線に配置した基板８５と、可動コイル８３に流す電流を調整する可動コイル制御部８８と、ベース８０の上蓋８９で構成される。
【００６６】
可動コイル８３に電流を流すと電磁力が発生し基板８５を矢印８７方向に移動させる。これにより、基板８５を発生させた電磁力と支持ばね８１のばね力が釣り合った位置に停止させることができる。
【００６７】
また、可動コイル制御部８８により、アンテナ８６が無線データキャリアから受信する電磁波の大きさを検出し、可動コイル８３に流す電流を調整して電磁波の大きさが最大となる位置にアンテナ８６を移動することもできる。
【００６８】
また、可動コイル８３に一定周波数の電流を流し、基板８５を一定振幅で振動させることもできる。
【００６９】
このように本発明によれば、無線データキャリアから受信する電磁波の大きさが最大となる位置にアンテナを移動できるので、応答距離が短い無線データキャリアと誤動作することなくデータの読書きができる。
【００７０】
また、アンテナを一定振幅で振動させることができるので、応答距離が短い無線データキャリアの近辺にアンテナを近づけるだけで無線データキャリアの電磁波を補足できデータの読書きができる。
【００７１】
図２２に無線データキャリアのデータ読取り書込み装置の一実施例の構成を示す。紙葉類５０と、紙葉類９０に漉き込んだ無線データキャリア９１と、無線データキャリア９１の漉き込んだ位置を示す紙葉類９０に付けられたマーク９２と、矢印１００方向に移動できるデータ読取り書込み装置９３と、図２０で説明した矢印９９方向に移動できるアンテナ９４と、紙葉類９０を光電変換素子９６に投影する光学系９５と、紙葉類９０の画像を電気信号に変換する光電変換素子９６と、その電気信号からマーク９２の位置を検出するマーク位置検出装置９７と、データ読取り書込み装置９３とアンテナ９４を移動し位置決めする制御装置９８から構成される。
【００７２】
動作は、光電変換素子９６で捕らえた紙葉類９０の画像からマーク位置検出装置９７によりマーク９２の位置を検出する。制御装置９８はデータ読取り書込み装置９３とアンテナ９４を制御し、アンテナ９４をマーク９２の位置に移動する。さらに、制御装置９８はアンテナ９４が無線データキャリア９１から受信する電磁波の大きさを検出し、電磁波の大きさが最大となる位置にデータ読取り書込み装置９３とアンテナ９４を移動する。
【００７３】
なお、マーク９２は切手、ロゴ等を使用でき、無線データキャリアを取り付けた切手等の別部材を貼り付けてもよい。
【００７４】
このように本発明によれば、画像認識により無線データキャリアを埋め込んだマーク位置を検出できるので応答距離の短い無線データキャリアを高速に補足できる効果がある。
【００７５】
図２３に名刺情報を用いた情報検索システムの一実施例を示す。一般に名刺の大きさは５５×９０ｍｍ程度である。この名刺１０５に図6で示した低コストな無線データキャリア（ＲＦＩＤ）を埋め込む。無線データキャリアにはインターネットのＷＷＷ（Ｗｏｒｌｄ  Ｗｉｄｅ  Ｗｅｂ）のハイパーテキストで構成されたＷｅｂサーバやＷｅｂクライアント（プラウザ）の個人Ｗｅｂページおよび企業ＷｅｂページのＵＲＬ（Ｕｎｉｆｏｒｍ  Ｒｅｓｏｕｒｃｅ  Ｌｏｃａｔｏｒ：インターネットに分散しているファイルなどの情報資源の格納場所を一意に指定するための表記方法）を記憶しておく。名刺受取り側１０７である個人、企業およびイベント会場では、コンピュータ１０９に接続された読取り書込み装置１０８により、無線データキャリアのＵＲＬを読取る。この読取り書込み装置１０８については図２４から図２９で説明する。読取ったデータは、コンピュータ１０９に送信される。コンピュータ１０９はインターネット閲覧プログラムに読取ったＵＲＬを取り込み、プログラムを起動してインターネット１１３を介して名刺発行側１１４の個人Ｗｅｂページ１１５、企業Ｗｅｂページ１１６にアクセスして情報を入手し表示部１１０に表示、または記憶部１１１に格納し整理する。また、電子メールにより名刺発行側１１４が必要としている情報を送信することもできる。
【００７６】
また、イベント会場の出展企業は、読取ったＵＲＬから名刺発行者側が事前に必要な情報を登録した情報管理センタ１１２のサーバーにアクセスし情報を入手することもできる。
【００７７】
また、名刺の他に、雑誌等の広告にＷｅｂページのＵＲＬを記憶した無線データキャリアを埋め込んでおき、同様に情報を入手することもできる。
【００７８】
このように本発明によれば、無線データキャリアを超小形化し低コスト化したので名刺に漉き込み相手に渡すことが可能となる。また、超小形にしたので折り曲げ等の外力による破損を防止できる。これにより、名刺交換時には従来と同じように名刺の交換のみでＷｅｂページのＵＲＬの情報を交換できる効果がある。そして、個人同士、企業同士、個人と企業間のデータ交換が大量に高速に行なえる効果がある。また、個人情報、企業情報の整理、管理を電子化できる効果がある。
【００７９】
図２４、図２５および図２６はコンピュータのフロッピーディスク装置から無線データキャリアへデータの読書きを行なうデータ読取り書込み装置の一実施例を示す。
【００８０】
図２４はフロッピーディスクの形状をしたアダプタ１２０と、アダプタ１２０に設けられフロッピーディスクの読書きヘッドが挿入される窓１２１と、アダプタ１２１に挿入された名刺１０５と、名刺１０５に漉き込まれた無線データキャリア１０６からなる。図２５はアダプタ１２０の反対側の構成を示す。アダプタ１２０の中に設けられ名刺を挿入するためのポケット１２３と、指を挿入し摩擦力により名刺を取り出すための穴１２２からなる。図２６はアダプタ１２０の断面図を示す。なお、名刺の寸法はフロッピーディスクの規格から長辺がおおよそ９２ｍｍ以下が好適である。
【００８１】
動作は名刺１０５を挿入したアダプタ１２０をコンピュータのフロッピーディスク装置に差し込むと、無線データキャリア１０６とアンテナ１２５およびデータ読取り書込み装置の回路１２６によりデータの読書きが行なわれる。この動作により、無線データキャリア１０６のメモリとデータ読取り書込み装置のメモリ１２７とでデータの送受信行なわれる。また、データ読取り書込み装置のメモリ１２７のデータはコイル１２８とヘッド１２９との間の電磁結合により伝達されてコンピュータとの間で伝達が行なわれる。
【００８２】
このように本発明によれば、フロッピーディスク装置を用いて無線データキャリアとのデータの読書きができる効果がある。
【００８３】
また、アンテナ１２５を２個所設けたことにより名刺１０５をアダプタ１２０に前後、裏表どちらから差し込こんでもデータの読書きができる効果がある。
【００８４】
図２７、図２８および図２９はコンピュータのＰＣＭＣＩＡ（Ｐｅｒｓｏｎａｌ  Ｃｏｍｐｕｔｅｒ  Ｍｅｍｏｒｙ  Ｃａｒｄ  ＩｎｔｅｒｎａｔｉｏｎａｌＡｓｓｏｃｉａｔｉｏｎ）カードから無線データキャリアへデータの読書きを行なうデータ読取り書込み装置の一実施例を示す。図２７はＰＣＭＣＩＡカード１３０と、コンピュータに接続するソケット１３１と、名刺１０５を位置決めするガイド１３２からなる。図２７はＰＣＭＣＩＡカード１３０の断面図を示す。基板１３７と、回路１３９に接続され基板１３７に取り付けたアンテナ１３８、データ読取り書込み装置の回路１３９と、コンピュータと信号および電源を伝達するソケットピン１３６と、位置決めガイド１３２と、名刺１０５と、無線データキャリア１０６で構成される。図２９はＰＣＭＣＩＡカード１３０のパーソナルコンピュータでの使用状態を示す。パーソナルコンピュータ１４０は表示部１４１と、キーボード１４２と、キーボード１４２の下に内蔵されている演算部、記憶部等よりなる。また、パーソナルコンピュータ１４０の側面にはＰＣＭＣＩＡカード１３０を挿入するスロット１４３が設けられ、ＰＣＭＣＩＡカード１３０のコネクタ１３１とスロット１４３の端部に設けられたコネクタとが接続され入出力インターフェースを介して演算部に接続される。
【００８５】
動作は名刺１０５を位置決めガイド１３２に沿ってＰＣＭＣＩＡカード１３０の上に置くと、アンテナ１３８およびデータ読取り書込み装置の回路１３９によりデータの読書きが行なわれコンピュータとの間でデータの伝達が行なわれる。
【００８６】
このように本発明によれば、ＰＣＭＣＩＡカードを用いて無線データキャリアとのデータの読書きができる効果がある。
【００８７】
また、アンテナ１３８を２個所設けたことによりＰＣＭＣＩＡカード１３０の上に名刺１０５を前後、裏表どちらの向きに置いてもデータの読書きができる。
【００８８】
なお、上記発明では名刺１０５で説明したが、無線データキャリアを埋め込んだ本発明の書留郵便物に添付する伝票、紙葉類、カード等に使用できる。
【００８９】
【発明の効果】
本発明は書留郵便物、宅配物等に無線データキャリアを添付して仕分け、配送および配達を管理する物品配達システにおいて、物品を収納するキャリアケースにアンテナを設けたので無線データキャリアとのデータの読書きが正確に行なえる。
【００９０】
また、ＲＦＩＤ質問器のアンテナを電波感度の高い方向に移動するようにしたので無線データキャリアとのデータの読書きが正確に行なえる効果がある。
【００９１】
また、物品に添付した無線データキャリアの位置を画像処理により検出し、ＲＦＩＤ質問器のアンテナを位置決めするようにしたので無線データキャリアとのデータの読書きが高速および正確に行なえる。
【００９２】
また、名刺に無線データキャリアを漉き込み、そのデータを読取ることによりインターネットを起動し相手の情報を入手できるようにした情報検索システムにより、個人同士、企業同士、個人と企業間のデータ交換が大量に高速に行なえる効果がある。また、個人情報、企業情報の整理、管理を電子化できる。
【図面の簡単な説明】
【図１】本発明の無線データキャリアを用いた物品配達システムの一実施例を示す。
【図２】本発明のキャリアケースのアンテナの一実施例を示す。
【図３】本発明のＲＦＩＤ質問器のアンテナの一実施例を示す。
【図４】本発明の無線データキャリアを埋め込んだ伝票を貼った物品の一実施例を示す。
【図５】本発明の無線データキャリアを埋め込んだ伝票の一実施例を示す。
【図６】本発明のオンチップ無線データキャリアの一実施例を示す。
【図７】本発明の無線データキャリアの他の一実施例を示す。
【図８】本発明の無線データキャリアのＲＦＩＤ質問器の回路構成の一実施例を示す。
【図９】本発明の無線データキャリアの回路構成の一実施例を示す。
【図１０】本発明のキャリアケースの他の一実施例を示す。
【図１１】本発明のキャリアケースのアンテナの他の一実施例を示す。
【図１２】本発明のキャリアケースの他の一実施例を示す。
【図１３】本発明の無線データキャリアを用いた物品配達システムの他の一実施例を示す。
【図１４】本発明のキャリアケースのアンテナの他の一実施例を示す。
【図１５】本発明のキャリアケースのアンテナの他の一実施例を示す。
【図１６】本発明のキャリアケースのアンテナの他の一実施例を示す。
【図１７】本発明の千鳥配列のアンテナの一実施例を示す。
【図１８】本発明のキャリアケースの複数直列接続アンテナの一実施例を示す。
【図１９】本発明のキャリアケースの増幅器を設けたアンテナの一実施例を示す。
【図２０】本発明のアンテナ可動機構付きのデータ読取り書込み装置の構成を示す。
【図２１】本発明の図２０の断面図を示す。
【図２２】本発明の無線データキャリアの埋め込みマークを検知しデータ読取り書込み装置を位置決めする一実施例の構成を示す。
【図２３】本発明の名刺情報を用いた情報検索システムの一実施例を示す。
【図２４】本発明のフロッピーディスク装置で無線データキャリアのデータを読書きするアダプタの構成を示す。
【図２５】本発明の図２４の反対側を示す。
【図２６】本発明の図２４の断面図を示す。
【図２７】本発明の無線データキャリアのデータを読書きするＰＣＭＣＩＡカードの構成を示す。
【図２８】本発明の図１４の断面図を示す。
【図２９】本発明のＰＣＭＣＩＡカードをパーソナルコンピュータに装着した状態を示す。
【図３０】本発明のスイッチ切換のマトリクス状アンテナの一実施例を示す。
【符号の説明】
１…キャリアケース、２…上蓋、３…容器、４…仕切り板、５…アンテナ、２３…電波シールド材、６…書留郵便物、７…無線データキャリア、８…アンテナ、９…充填材、１０…基板、１１…コイル、１２…ＲＦＩＤ質問器、１３中継局サーバ、１４…情報ネットワーク、１５…引受局サーバ、１６…配達局サーバ、１７…書留郵便物の配送ルート。
【図１】
0003788211.tif 000002
【図２】
0003788211.tif 000003
【図３】
0003788211.tif 000004
【図４】
0003788211.tif 000005
【図５】
0003788211.tif 000006
【図６】
0003788211.tif 000007
【図７】
0003788211.tif 000008
【図８】
0003788211.tif 000009
【図９】
0003788211.tif 000010
【図１０】
0003788211.tif 000011
【図１１】
0003788211.tif 000012
【図１２】
0003788211.tif 000013
【図１３】
0003788211.tif 000014
【図１４】
0003788211.tif 000015
【図１５】
0003788211.tif 000016
【図１６】
0003788211.tif 000017
【図１７】
0003788211.tif 000018
【図１８】
0003788211.tif 000019
【図１９】
0003788211.tif 000020
【図２０】
0003788211.tif 000021
【図２１】
0003788211.tif 000022
【図２２】
0003788211.tif 000023
【図２３】
0003788211.tif 000024
【図２４】
0003788211.tif 000025
【図２５】
0003788211.tif 000026
【図２６】
0003788211.tif 000027
【図２７】
0003788211.tif 000028
【図２８】
0003788211.tif 000029
【図２９】
0003788211.tif 000030
【図３０】
0003788211.tif 000031